(57)【要約】【課題】小さなスポット径を得られ、高い光利用効率を達成できるリフレクタ等を提供すること。【解決手段】照明光を供給するための発光部１０３ａと、発光部１０３ａの周囲を略密閉し、所定の屈折力を有するガラス管ＧＬとを少なくとも備える発光管１０３のためのリフレクタ１０２において、リフレクタ１０２は、所定の光軸ＡＸを有し、発光部１０２ａは光軸ＡＸ上に配置され、ガラス管ＧＬは、光軸ＡＸから略垂直な方向に所定距離ｄだけ離れた位置に発光部の虚像を形成するような屈折力を有し、リフレクタ１０２の形状は、光軸ＡＸを中心軸とする楕円曲線ＥＰを光軸ＡＸから略垂直な方向に所定距離ｄだけ移動させ、かつ前記移動させた曲線ＥＰ１又はＥＰ２を光軸ＡＸの周りに回転させて形成される回転面である。【選択図】　　　図１
2004127755.tif 000002
【特許請求の範囲】
【請求項１】
照明光を供給するための点状の発光部と、前記発光部の周囲を略密閉し、所定の屈折力を有する密閉透明部とを少なくとも備える発光管のためのリフレクタにおいて、
前記リフレクタは、所定の光軸を有し、
前記発光部は前記光軸上に配置され、前記密閉透明部は、前記光軸から略垂直な方向に所定距離だけ離れた位置に前記発光部の虚像を形成するような屈折力を有し、
前記リフレクタの形状は、前記光軸を中心軸とする、楕円曲線、又は放物曲線、又は楕円若しくは放物線を基準とする自由曲線を前記光軸から略垂直な方向に前記所定距離だけ移動させ、かつ前記移動させたいずれかの曲線を前記光軸の周りに回転させて形成される回転面であることを特徴とするリフレクタ。
【請求項２】
照明光を供給するための点状の発光部と、
前記発光部の周囲を略密閉し、所定の屈折力を有する密閉透明部と、
前記発光部からの光を反射し、光軸を備えるリフレクタとを有し、
前記密閉透明部の前記所定の屈折率は、前記光軸から略垂直な方向に所定距離だけ離れた位置に前記発光部の虚像を形成するような屈折力であり、
前記リフレクタの形状は、前記光軸を中心軸とする、楕円曲線、又は放物曲線、又は楕円若しくは放物線を基準とする自由曲線を前記光軸から略垂直な方向に前記所定距離だけ移動させ、かつ前記移動させたいずれかの曲線を前記光軸の周りに回転させて形成される回転面であることを特徴とする照明装置。
【請求項３】
前記光軸に対して前記虚像が形成される空間の方向と、前記楕円曲線、又は前記放物曲線、又は楕円若しくは放物線を基準とする前記自由曲線を移動させる方向とは、同一の方向であることを特徴とする請求項２に記載の照明装置。
【請求項４】
前記リフレクタの形状は、前記発光部からの光が前記密閉透明部を経由しないで前記リフレクタに入射する場合に、集光位置に前記発光部の虚像の形状と略同一の形状の集光光を形成させる形状であることを特徴とする請求項２又は３に記載の照明装置。
【請求項５】
請求項２〜４の何れか一項に記載の照明装置と、
前記照明装置からの光を均一化するためのロッドインテグレータと、
前記ロッドインテグレータの入射側又は射出側に設けられ、前記照明装置からの光を色分解するための色分解光学系と、
前記色分解光学系からの光を画像信号に応じて変調する空間変調素子と、
前記空間変調素子からの画像を投写する投写レンズとを有することを特徴とするプロジェクタ。
【発明の詳細な説明】
【０００１】
【発明の属する技術分野】
本発明は、リフレクタ、照明装置及びプロジェクタに関するものであって、詳細にはロッドインテグレータを使用するプロジェクタに好適な照明装置の技術に関するものである。
【０００２】
【従来の技術】
近年、プロジェクタとして様々なタイプのものが提案されている。例えば、単板式のプロジェクタでは、Ｓｅｑｕｅｎｔｉａｌ　Ｃｏｌｏｒ　Ｒｅｃａｐｔｕｒｅ方式（以下、「カラーリキャプチャ方式」という。）が提案されている。カラーリキャプチャ方式のプロジェクタは、白色光である照明光を供給する光源部と、光源部からの照明光を均一化させるためのロッドインテグレータと、そのロッドインテグレータの射出側に設けられ色分解を行うためのカラーホイールとを有する。このロッドインテグレータの入射側端面には、光源部からの光を入射させる開口部と、開口部の周辺に反射膜とが形成されている。
【０００３】
また、カラーホイールには、ダイクロイック膜が螺旋状等の適当な形状に組み合わされて設けられている。ダイクロイック膜は、特定の波長領域の光を透過し、他の波長領域の光を反射させる。例えば白色光を３つの波長領域の光に色分解する場合は、赤色（Ｒ）、緑色（Ｇ）、青色（Ｂ）の光のみをそれぞれ透過させるＲ光透過ダイクロイック膜、Ｇ光透過ダイクロイック膜、Ｂ光透過ダイクロイック膜が形成されている。そして、カラーホイールは、光軸と平行な軸を中心に回転している。
【０００４】
ここで、ロッドインテグレータの射出側端面から射出し、カラーホイールのＲ光透過ダイクロイック膜に照射される光を考える。光源部からの白色光のうちＲ光は、カラーホイールのＲ光透過ダイクロイック膜を透過する。これに対して、Ｇ光及びＢ光はカラーホイールのＲ光透過ダイクロイック膜で反射され光源部の方向へ戻る。そして、反射されたＧ光及びＢ光は、ロッドインテグレータに射出側端面から再度入射する。ロッドインテグレータ内を光源部の方向に向かって進行するＧ光及びＢ光は、入射側端面に到達する。ロッドインテグレータの入射側端面には、上述したように開口部の周辺に反射膜が形成されている。このため、ロッドインテグレータ内を光源部の方向に向かって進行したＧ光及びＢ光のうち、反射膜に入射した光は、当該反射膜で反射される。
【０００５】
反射膜で反射されたＧ光及びＢ光は、ロッドインテグレータ内をカラーホイールの方向へ進行する。そして、ロッドインテグレータの射出側端面から射出する。射出側端面から射出したＧ光及びＢ光は、カラーホイールのＧ光ダイクロイック膜又はＢ光ダイクロイック膜に照射されれば、そのまま透過する。また、透過できずにカラーホイールで反射した光は、再度上述と同じ工程を繰り返す。ここで、ロッドインテグレータ内に入った光はほとんど光軸と平行でないので、反射された光のうちいずれかの成分の光はカラーホイールを透過することができる。
【０００６】
上記説明では、Ｒ光透過ダイクロイック膜に照射された光を例にしている。上述の光の振る舞いは、カラーホイールを射出してＧ光透過ダイクロイック膜、又はＢ光透過ダイクロイック膜に入射する光についても同様である。従って、光の損失が低減され、光源光を有効に利用することができる。これにより、効率良く色分解でき、明るいカラー表示を実現できる。
【０００７】
上述のカラーリキャプチャ方式のプロジェクタにおいて、光の利用効率を向上させるためには、光源部からの光を入射させるためにロッドインテグレータの入射側端面に形成されている開口部の径を極力小さくすることが望ましい。開口部を小さくすると、開口部以外に形成されている反射膜の面積を大きくできるからである。
【０００８】
このため、光源部からの光は、ロッドインテグレータの入射側端面になるべく小さなスポットとして集光させることが望ましい。光源部からの照明光の集光スポット径を小さくすることは、カラーリキャプチャ方式のプロジェクタに限られず、ロッドインテグレータを用いるプロジェクタについても望ましい。
【０００９】
【発明が解決しようとする課題】
しかしながら、従来の照明装置では、スポット光の径を小さくする事は、以下に述べる理由により困難である。例えば、ティルトミラーデバイスを用いる単板式のプロジェクタの照明装置は、楕円形状のリフレクタを備えている。また、発光管として、例えば水銀蒸気を封入した超高圧水銀ランプ等が用いられる。そして、リフレクタの第１焦点近傍に発光管の発光部が位置するように構成される。
【００１０】
超高圧水銀ランプの発光部は、２つの対向した電極の周囲をガラス管で覆って構成されている。そして、ガラス管で密閉された空間に水銀蒸気が充填されている。電極に電圧を印加することで、両電極間に点状の発光部が得られる。
【００１１】
この点状の発光部からの光は、ガラス管を透過して射出する。射出する光は、ガラス管の内側面と外側面との２つの界面で屈折作用を受ける。このため、点状の発光部の位置は、この発光部の虚像の位置に見かけ上シフトする。
【００１２】
このようにガラス管はレンズ作用を有するため、点状の発光部は見かけ上、例えば光軸を中心とするリング状の虚像となる。楕円形状のリフレクタでは、第１焦点から発した光は第２焦点へ集光する。しかしながら、第１焦点にリング状の光源（虚像）が存在する場合は、当然のことながら第２焦点に点状に集光することはできない。即ち、第２焦点に集光するスポット光を得ることはできないので問題である。なお、ガラス管の屈折作用の特性は、ガラス管の曲率、肉厚などに依存する。このため、虚像の形状はリング状に限られず、これら曲率、肉厚が異なることで様々な形状をとる。
【００１３】
本発明は、上述の問題点を解決するためになされたものであり、小さなスポット径を得られ、高い光利用効率を達成できるリフレクタ、照明装置及びプロジェクタを提供することを目的とする。
【００１４】
【課題を解決するための手段】
上記課題を解決し、目的を達成するために、本発明によれば、照明光を供給するための点状の発光部と、前記発光部の周囲を略密閉し、所定の屈折力を有する密閉透明部とを少なくとも備える発光管のためのリフレクタにおいて、前記リフレクタは、所定の光軸を有し、前記発光部は前記光軸上に配置され、前記密閉透明部は、前記光軸から略垂直な方向に所定距離だけ離れた位置に前記発光部の虚像を形成するような屈折力を有し、前記リフレクタの形状は、前記光軸を中心軸とする、楕円曲線、又は放物曲線、又は楕円若しくは放物線を基準とする自由曲線を前記光軸から略垂直な方向に前記所定距離だけ移動させ、かつ前記移動させたいずれかの曲線を前記光軸の周りに回転させて形成される回転面であることを特徴とするリフレクタを提供できる。これにより、小さなスポット径を得られ、高い光利用効率を達成できる。
【００１５】
また、本発明によれば、照明光を供給するための点状の発光部と、前記発光部の周囲を略密閉し、所定の屈折力を有する密閉透明部と、前記発光部からの光を反射し、光軸を備えるリフレクタとを有し、前記密閉透明部の前記所定の屈折率は、前記光軸から略垂直な方向に所定距離だけ離れた位置に前記発光部の虚像を形成するような屈折力であり、前記リフレクタの形状は、前記光軸を中心軸とする、楕円曲線、又は放物曲線、又は楕円若しくは放物線を基準とする自由曲線を前記光軸から略垂直な方向に前記所定距離だけ移動させ、かつ前記移動させたいずれかの曲線を前記光軸の周りに回転させて形成される回転面であることを特徴とする照明装置を提供できる。これにより、小さなスポット径を得られ、高い光利用効率を達成できる。
【００１６】
また、本発明の好ましい態様によれば、前記光軸に対して前記虚像が形成される空間の方向と、前記楕円曲線、又は前記放物曲線、又は楕円若しくは放物線を基準とする前記自由曲線を移動させる方向とは、同一の方向であることが望ましい。これにより、前記密閉透明部の屈折力が、正の屈折力及び負の屈折力のいずれの場合でも、小さなスポット径の集光光を得ることができる。
【００１７】
また、本発明の好ましい態様によれば、前記リフレクタの形状は、前記発光部からの光が前記密閉透明部を経由しないで前記リフレクタに入射する場合に、集光位置に前記発光部の虚像の形状と略同一の形状の集光光を形成させる形状であることが望ましい。これにより、小さなスポット径の光を高効率で得ることができる。
【００１８】
また、本発明によれば、上記の照明装置と、前記照明装置からの光を均一化するためのロッドインテグレータと、前記ロッドインテグレータの入射側又は射出側に設けられ、前記照明装置からの光を色分解するための色分解光学系と、前記色分解光学系からの光を画像信号に応じて変調する空間変調素子と、前記色分解光学系からの光を画像信号に応じて変調する空間変調素子と、前記空間変調素子からの画像を投写する投写レンズとを有することを特徴とするプロジェクタを提供できる。これにより、照明装置からの光を高い効率で利用できるため明るい投写像を得ることができる。
【００１９】
【発明の実施の形態】
以下に添付図面を参照して、本発明の好適な実施形態を詳細に説明する。
（第１実施形態）
図１は、第１実施形態に係るプロジェクタの概略構成を示す図である。プロジェクタ１００は、透過型液晶ライトバルブを用いるプロジェクタである。
【００２０】
本実施形態に係るプロジェクタ１００は、白色光である照明光を供給する照明装置１０１を有する。照明装置１０１は、後述する形状のリフレクタ１０２と、発光管１０３とから構成されている。発光管１０３の発光部１０３ａは、リフレクタ１０２の第１焦点ｆ１近傍に配置されている。発光管１０３として、超高圧水銀ランプを用いることができる。発光部１０３ａからの光は、リフレクタ１０２で反射して第２焦点ｆ２の位置にスポット光として集光する。本願の特徴的な事項であるリフレクタ１０２の形状については後述する。
【００２１】
また、照明光を均一化するためのロッドインテグレータ１０４が、その入射側端面と第２焦点ｆ２とが略一致するように配置されている。ロッドインテグレータ１０４から射出した白色光は、色分解するためのカラーホイール１０５に入射する。カラーホイール１０５は、ダイクロイック膜が螺旋状等の適当な形状に組み合わされて設けられている。ダイクロイック膜は、特定の波長領域の光を透過し、他の波長領域の光を反射させる。例えば白色光を、３つの波長領域の光に色分解する場合は、赤色（Ｒ）、緑色（Ｇ）、青色（Ｂ）の光のみをそれぞれ透過させるＲ光透過ダイクロイック膜、Ｇ光透過ダイクロイック膜、Ｂ光透過ダイクロイック膜が形成されている。そして、カラーホイール１０５は、光軸を中心に回転している。
【００２２】
カラーホイール１０５で色分解された光は、リレーレンズ１０６を経由して空間変調素子１０７に入射する。空間変調素子１０７は、画像信号に応じて照明装置１０１からの光を変調する。空間変調素子１０５としては、透過型液晶ライトバルブを用いることができる。投写レンズ１０８は、空間変調素子１０７で変調された光をスクリーン１０９上に拡大して投写する。
【００２３】
また、空間変調素子１０７として、ティルトミラーデバイスを用いる場合は、図１において、ティルトミラーデバイスで反射された光をスクリーン１０９へ投写する構成に適宜変更すれば良い。
【００２４】
次に、発光部１０３ａの構成について説明する。図２は、発光部１０３ａを拡大して示す図である。２つの電極１００１ａ、１００１ｂが微小間隔で対向して設けられている。両電極１００１ａ、１００１ｂの周囲をガラス管ＧＬで覆い、密閉された空間を形成する。超高圧水銀ランプでは、密閉された空間に水銀蒸気が充填されている。そして、電極１００１ａ、１００１ｂに電圧を印加することで、両電極間に点状発光体ＲＩが得られる。
【００２５】
点状発光体ＲＩからの光は、ガラス管ＧＬを透過して射出する。この際、ガラス管の内側面ＧＬａと外側面ＧＬｂとの２つの界面で屈折作用を受ける。このため、図２のＡ方向から観察すると、点状発光体ＲＩの位置は、虚像ＶＩの位置に見かけ上シフトする。
【００２６】
このようにガラス管ＧＬはレンズ作用を有するため、本実施形態では、点状発光体ＲＩは見かけ上光軸ＡＸを中心とするリング状の虚像ＶＩとなる。
【００２７】
次に、本実施形態におけるリフレクタ１０２の形状について説明する。リフレクタ１０２は、上述のリング状の虚像ＶＩからの光をスポット光として第２焦点ｆ２へ集光させる反射特性を有する。図３は、リフレクタ１０２の光軸ＡＸを含む面での断面形状を示す図である。
【００２８】
図２において、点状光源部ＲＩから所定距離ｄ（例えばｄ＝０．５ｍｍ）だけ離れた位置に虚像ＶＩが形成されている場合を考える。図３に戻って、リフレクタ１０２の形状を光軸ＡＸに対して図３の上側半分（領域Ａ）と下側半分（領域Ｂ）との２つの曲線に分けて説明する。まず、光軸ＡＸよりも上側半分のリフレクタ１０２（実線で示す）について説明する。光軸ＡＸと、この光軸ＡＸを中心軸と楕円曲線ＥＰとを光軸ＡＸから略垂直な方向（図３の下方向）に所定距離ｄだけ移動させる。なお、楕円曲線ＥＰは点状光源部ＲＩの位置に焦点を有する。移動した後の光軸ＡＸ２と楕円曲線ＥＰ２を合わせて示す。この移動した楕円曲線ＥＰ２のうち、光軸ＡＸよりも上側（領域Ａ）に存在する部分をリフレクタ１０２とする。
【００２９】
次に、光軸ＡＸよりも下側半分のリフレクタ１０２（実線で示す）について説明する。光軸ＡＸと、この光軸ＡＸを中心軸とする楕円曲線ＥＰとを光軸ＡＸから略垂直な方向（図３の上方向）に所定距離ｄだけ移動させる。移動した後の光軸ＡＸ１と楕円曲線ＥＰ１を合わせて示す。この移動した楕円曲線ＥＰ１のうち、光軸ＡＸよりも下側（領域Ｂ）に存在する部分をリフレクタ１０２とする。換言すると、リフレクタ１０２は、楕円曲線ＥＰを光軸ＡＸから略垂直な方向に所定距離ｄだけ移動させ、かつ移動させたいずれかの曲線ＥＰ１又はＥＰ２を光軸ＡＸの周りに回転させて形成される回転面である。
【００３０】
図４は、本実施形態における照明装置１０１からロッドインテグレータ１０４の入射側端面ＥＮＴに至るまでの光路図である。図４から明らかなように、発光部１０３ａからの光は、ロッドインテグレータ１０４の入射側端面ＥＮＴの近傍位置にスポット光として収束している。比較のために、図５に従来技術のリフレクタ５０２を備える照明装置５０１の光路図を示す。図５から明らかなように、ロッドインテグレータ５０３の入射側端面ＥＮＴにおいて、光が殆ど集光していない。このため、従来技術の照明装置５０１では、スポット光を得ることはできない。
【００３１】
図６は、本実施形態に係る照明装置１０１の光路（実線）と従来技術の照明装置５０１の光路（破線）とを１つの図に合わせたものである。図６から、さらに明らかなように、本実施形態ではスポット径の小さなスポット光がロッドインテグレータ１０４の入射側端面ＥＮＴに得られていることがわかる。
【００３２】
（第２実施形態）
図７は、第２実施形態に係るプロジェクタ２００の概略構成を示す図である。プロジェクタ２００は、透過型液晶ライトバルブを用いるプロジェクタである。本実施形態は、発光管の形状及びリフレクタの形状が上記第１実施形態と異なる。その他の上記第１実施形態と同様の部分には同一の符号を付し、重複する説明は省略する。
【００３３】
まず、発光管２０３の発光部２０３ａの構成について説明する。図８は、発光部２０３ａの構成を示す図である。本実施形態のガラス管ＧＬは平板形状を有している。ガラス管ＧＬ内では、２つの電極２００１ａ、２００１ｂが微小間隔で対向して設けられている。両電極２００１ａ、２００１ｂの周囲はガラス管ＧＬで覆われ、密閉された空間が形成されている。点状発光体ＲＩからの光は、ガラス管ＧＬを透過して射出する。この際、ガラス管の内側面ＧＬａと外側面ＧＬｂとの２つの界面で屈折作用を受ける。このため、図８のＡ方向から観察すると、点状発光部ＲＩの位置は、虚像ＶＩの位置に見かけ上シフトする。このシフトする方向は、図２に示した発光管の場合と反対の方向である。つまり、虚像ＶＩが、観察する側へ近づく方向へシフトする。
【００３４】
図９は、リフレクタ２０２の光軸ＡＸを含む面での断面形状を示す図である。図８において、点状光源部ＲＩから所定距離ｄ（例えばｄ＝０．５ｍｍ）だけ離れた位置に虚像ＶＩが形成されている場合を考える。図９に戻って、リフレクタ２０２の形状を光軸ＡＸに対して図９の上側半分（領域Ａ）と下側半分（領域Ｂ）との２つの曲線に分けて説明する。まず、光軸ＡＸよりも上側半分のリフレクタ２０２（実線で示す）について説明する。光軸ＡＸと、この光軸ＡＸを中心軸とする楕円曲線ＥＰとを光軸ＡＸから略垂直な方向（図３の上方向）に所定距離ｄだけ移動させる。なお、楕円曲線ＥＰは、点状光源ＲＩの位置に焦点を有する。移動した後の光軸ＡＸ１と楕円曲線ＥＰ１を合わせて示す。この移動した楕円曲線ＥＰ１のうち、光軸ＡＸよりも上側（領域Ａ）に存在する部分をリフレクタ２０２とする。
【００３５】
次に、光軸ＡＸよりも下側半分のリフレクタ２０２（実線で示す）について説明する。光軸ＡＸと、この光軸ＡＸを中心軸とする楕円曲線ＥＰとを光軸ＡＸから略垂直な方向（図３の下方向）に所定距離ｄだけ移動させる。移動した後の光軸ＡＸ２と楕円曲線ＥＰ２を合わせて示す。この移動した楕円曲線ＥＰ２のうち、光軸ＡＸよりも下側（領域Ｂ）に存在する部分をリフレクタ２０２とする。換言すると、リフレクタ２０２は、楕円曲線ＥＰを光軸ＡＸから略垂直な方向に所定距離ｄだけ移動させ、かつ移動させたいずれかの曲線ＥＰ１又はＥＰ２を光軸ＡＸの周りに回転させて形成される回転面である。
【００３６】
本実施形態によれば、上記第１実施形態と同様に集光径の小さいスポット光をロッドインテグレータ１０４の入射側端面ＥＮＴに得ることができる。また、上記各実施形態において、リフレクタ１０２、２０２の形状は、発光部１０３ａ、２０３ａからの光がガラス管ＧＬを経由しないでリフレクタ１０２、２０２に入射する場合に、集光位置に前記発光部１０３ａ、２０３ａの虚像ＶＩの形状と略同一の形状の集光光を形成させる形状であっても良い。
【００３７】
なお、上記各実施形態は、透過型液晶ライトバルブを用いるプロジェクタに限られず、ティルトミラーデバイスを用いる従来型のプロジェクタ、又はティルトミラーデバイスを用いるカラーリキャプチャ方式のプロジェクタのいずれにも容易に適用できるものである。
【００３８】
【発明の効果】
以上説明したように、本発明によれば、小さなスポット径を得られ、高い光利用効率を達成できるリフレクタ、照明装置及び明るい投写像のプロジェクタを提供することができる。
【図面の簡単な説明】
【図１】本発明の第１実施形態にかかるプロジェクタの概略構成を示す図である。
【図２】上記第１実施形態における発光部の構成を示す図である。
【図３】上記第１実施形態におけるリフレクタの形状を説明する図である。
【図４】上記第１実施形態における照明装置の光路図である。
【図５】従来技術の照明装置の光路図である。
【図６】上記第１実施形態における照明装置の光路図と、従来技術の照明装置の光路図とを比較する図である。
【図７】本発明の第２実施形態にかかるプロジェクタの概略構成を示す図である。
【図８】上記第２実施形態における発光部の構成を示す図である。
【図９】上記第２実施形態におけるリフレクタの形状を説明する図である。
【符号の説明】
１００　　プロジェクタ
１０１　　照明装置
１０２　　リフレクタ
１０３　　発光管
１０３ａ　　発光部
１０４　　ロッドインテグレータ
１０５　　カラーホイール
１０６　　リレーレンズ
１０７　　空間変調素子
１０８　　投写レンズ
１０９　　スクリーン
２００　　プロジェクタ
２０２　　リフレクタ
２０３　　発光管
２０３ａ　　発光部
５０１　　照明装置
５０２　　リフレクタ
５０３　　ロッドインテグレータ
１００１ａ、１００１ｂ　　電極
ＡＸ、ＡＸ１、ＡＸ２　　光軸
ＧＬ　　ガラス管
ＧＬａ　　内側面
ＧＬｂ　　外側面
ＲＩ　　点状光源体
ＶＩ　　虚像
【図１】
2004127755.tif 000003
【図２】
2004127755.tif 000004
【図３】
2004127755.tif 000005
【図４】
2004127755.tif 000006
【図５】
2004127755.tif 000007
【図６】
2004127755.tif 000008
【図７】
2004127755.tif 000009
【図８】
2004127755.tif 000010
【図９】
2004127755.tif 000011